(57)【要約】【課題】インク吐出部において、インクにかかる圧力を安定化させ、沈殿し易い成分を含むインクであっても使用可能なインクジェット用インク供給装置およびこれを備えるインクジェット装置を提供する。【解決手段】インクジェット装置３０は、第１インク室１と第２インク室２とを備え、第２インク室２からインクジェットヘッド４へインクが供給される間、第１インク室１から第２インク室２へ供給されるインクの供給量である第１インク供給量は、第２インク室２からインクジェットヘッド４へ供給されるインクの供給量である第２インク供給量よりも多量であり、さらに、上記第１インク供給量と第２インク供給量との差である余剰インク量のインクを貯留するための第３インク室３と、余剰インク量のインクが第３インク貯留部へ移動する経路となる余剰インク経路１０が隔壁９の上端部に形成されている。【選択図】図１
2008207390.tif 000002
【特許請求の範囲】
【請求項１】
インクを貯留する第１インク貯留部と、
第１インク貯留部からインクが供給され、さらにインク吐出部へインクを供給する第２インク貯留部とを有するインクジェット用インク供給装置において、
さらに、第２インク貯留部と連結されている第３インク貯留部とを備え、
第２インク貯留部からインク吐出部へインクが供給される間、第１インク貯留部から第２インク貯留部へ供給されるインクの供給量である第１インク供給量は、第２インク貯留部からインク吐出部へ供給されるインクの供給量である第２インク供給量よりも多量であり、
上記第２インク貯留部と第３インク貯留部との間には、上記第１インク供給量と第２インク供給量との差である余剰インク量のインクが第３インク貯留部へ移動する経路となる余剰インク経路が形成されていることを特徴とするインクジェット用インク供給装置。
【請求項２】
上記第２インク貯留部と第３インク貯留部とが隔壁を介し、併設されており、
上記余剰インク経路は、上記隔壁の上端部に形成されていることを特徴とする請求項１に記載のインクジェット用インク供給装置。
【請求項３】
上記第３インク貯留部および上記第１インク貯留部、上記第１インク貯留部および上記第２インク貯留部が共に循環経路によって連結されており、
上記循環経路は、インクを循環させる循環機構とを有することを特徴とする請求項１に記載のインクジェット用インク供給装置。
【請求項４】
上記循環機構は、循環経路内のインクを脱気する脱気機構を備えることを特徴とする請求項３に記載のインクジェット用インク供給装置。
【請求項５】
上記第２インク貯留部および第３インク貯留部は密閉可能な構造となっており、
上記第２インク貯留部および第３インク貯留部の内部の圧力を調整する圧力調整機構を備えていることを特徴とする請求項１に記載のインクジェット用インク供給装置。
【請求項６】
請求項１から５の何れか１項に記載のインクジェット用インク供給装置と、
上記第２インク貯留部からインクを供給され、インクを吐出するインク吐出部と、
上記インク吐出部から上記第３インク貯留部へインクが排出されるための排出経路と、
上記排出経路におけるインクを送液する送液機構とを有することを特徴とするインクジェット装置。
【請求項７】
上記送液機構は、上記送液機構の脈動を抑制する脈動抑制機構を備えることを特徴とする請求項６に記載のインクジェット装置。
【発明の詳細な説明】
【技術分野】
【０００１】
本発明は、インクジェット用インク供給装置およびこれを備えるインクジェット装置に関する。
【背景技術】
【０００２】
従来、インクを吐出する装置として、インクジェット装置が広く使われている。インクジェット装置のインク吐出口からインク吐出対象へインクが吐出される際には、連続的にインク小滴が吐出される。このインクの小滴形状はインク吐出対象における印字などの形状に影響を及ぼすため、インク小滴の形状は重要である。
【０００３】
インク小滴の形状に影響を与える要素としては、インク吐出部のインク吐出口からインク小滴が吐出される際のインク吐出対象までの距離、吐出される速度などのインクが吐出される際の条件が挙げられる。また、インク吐出口の形状、材質、インクに対する濡れ性および汚れ具合、その他、周囲環境の振動、温度および風などの要素が挙げられる。さらには、インクの表面張力、粘度、温度および汚れ具合などの要素が挙げられるが、インクをインク吐出部に供給する際、インクにかかる圧力もインク小滴の形状に影響を与えることが知られている。
【０００４】
例えば、特許文献１にはインクを貯留するインク袋と、インク袋を収容し外気と遮断密閉するケースを備え、ケース内圧調整手段を備えるインクジェット記録装置が開示されている。特許文献１に記載のインクジェット記録装置によれば、ケース内の圧力を調節するし、インクにかかる圧力を調節することができる。
【０００５】
また、特許文献２には、インクが貯留されるメインタンクと、サブタンクとを備え、メインタンクおよびサブタンクを繋ぐ配管の高さを調節することによって、サブタンクの液面の高さを一定にし、インク吐出口におけるインクにかかる圧力を安定させる液体補充システムが開示されている。
【特許文献１】特開２００６−２７２６２７号公報（２００６年１０月１２日公開）
【特許文献２】特開２０００−３１３１２４号公報（２０００年１１月１４日公開）
【発明の開示】
【発明が解決しようとする課題】
【０００６】
しかしながら、上記従来のインクジェット記録装置および液体補充システムでは、用いることができるインクの種類が制限されるという問題が生じる。
【０００７】
すなわち、上記従来の従来のインクジェット記録装置および液体補充システムによって、インク吐出部においてインクにかかる圧力を安定させることができるものの、インクが循環されることがないため、インクに含まれる成分が沈降しやすい。このため、用いることができるインクの種類が制限されるという問題点が生じる。
【０００８】
本発明は、上記従来の問題点に鑑みなされたものであって、その目的は、インク吐出部において、インクにかかる圧力を安定化させ、沈殿し易い成分を含むインクであっても使用可能なインクジェット用インク供給装置およびこれを備えるインクジェット装置を提供することにある。
【課題を解決するための手段】
【０００９】
本発明のインクジェット用インク供給装置は、上記課題を解決するために、インクを貯留する第１インク貯留部と、第１インク貯留部からインクが供給され、さらにインク吐出部へインクを供給する第２インク貯留部とを有するインクジェット用インク供給装置において、さらに、第２インク貯留部と連結されている第３インク貯留部とを備え、第２インク貯留部からインク吐出部へインクが供給される間、第１インク貯留部から第２インク貯留部へ供給されるインクの供給量である第１インク供給量は、第２インク貯留部からインク吐出部へ供給されるインクの供給量である第２インク供給量よりも多量であり、上記第２インク貯留部と第３インク貯留部との間には、上記第１インク供給量と第２インク供給量との差である余剰インク量のインクが第３インク貯留部へ移動する経路となる余剰インク経路が形成されていることを特徴としている。
【００１０】
上記の発明によれば、第２インク貯留部からインク吐出部へインクが供給される間、第２インク貯留部へ供給された第１インク供給量のインクは、第２インク供給量のインクが余剰インク経路を通りインク吐出へ、余剰インク量がインクジェット吐出部へと移動する。これによって、第２インク貯留部内のインク量を一定に保つことができる。すなわち、第２インク貯留部の液面の高さを一定に保つことができるので、第２インク室２からインク吐出部に供給されるインクの圧力を一定に保つことができ、インク小滴の形状を安定させることができる。
【００１１】
さらに、第２インク貯留部内のインクは、余剰インク経路とインク吐出部の２方向に移動するためインクは攪拌される。したがって、インク成分の沈降を抑制することができ、沈殿し易いインク成分を含むインクを使用することができる。
【００１２】
また、本発明のインクジェット用インク供給装置では、上記第２インク貯留部と第３インク貯留部とが隔壁を介し、併設されており、上記余剰インク経路は、上記隔壁の上端部に形成されていることが好ましい。
【００１３】
これにより、余剰インク経路は非常に単純な形状を有しており、容易に形成されることができ、インクジェット用インク供給装置のメンテナンスなども容易になされることができる。
【００１４】
また、本発明のインクジェット用インク供給装置では、上記第３インク貯留部および上記第１インク貯留部、上記第１インク貯留部および上記第２インク貯留部が共に循環経路によって連結されており、上記循環経路は、インクを循環させる循環機構とを有することが好ましい。
【００１５】
これにより、インクジェット用インク供給装置内において、インクを循環させることができ、無駄なインクの消費量を減少させることができる。
【００１６】
また、本発明のインクジェット用インク供給装置では、上記循環機構は、循環経路内のインクを脱気する脱気機構を備えることが好ましい。
【００１７】
これにより、インクに含まれる気泡などを除去することができるため、インク小滴の形状をさらに安定させることができる。
【００１８】
また、本発明のインクジェット用インク供給装置では、上記第２インク貯留部および第３インク貯留部は密閉可能な構造となっており、上記第２インク貯留部および第３インク貯留部の内部の圧力を調整する圧力調整機構を備えていることが好ましい。
【００１９】
上記の構成によって、第２インク貯留部および第３インク貯留部内のインクは外気を遮蔽されることができるため、上記インクの状態をより清浄に保つことができる。したがって、インク小滴の形状をさらに安定化させることができる。
【００２０】
また、本発明のインクジェット装置では、上記インクジェット用インク供給装置と、上記第２インク貯留部からインクを供給され、インクを吐出するインク吐出部と、上記インク吐出部から上記第３インク貯留部へインクが排出されるための排出経路と、上記排出経路におけるインクを送液する送液機構とを有することが好ましい。
【００２１】
これにより、インク吐出部において吐出されなかったインクが、インク吐出部から排出され、インク吐出部に残存し難くなる。このため、インク吐出部の内部の環境を清浄な状態にすることができる。その結果、インク小滴の形状をさらに安定化させることができる。
【００２２】
また、本発明のインクジェット装置では、上記送液機構は、上記送液機構の脈動を抑制する脈動抑制機構を備えることが好ましい。
【００２３】
これにより、送液機構の脈動を抑制することができる。このため、インクに伝わる脈動（振動）を抑制でき、インク小滴の形状をさらに安定化させることができる。
【発明の効果】
【００２４】
本発明のインクジェット用インク供給装置は、以上のように、第２インク貯留部からインク吐出部へインクが供給される間、第１インク貯留部から第２インク貯留部へ供給されるインクの供給量である第１インク供給量は、第２インク貯留部からインク吐出部へ供給されるインクの供給量である第２インク供給量よりも多量であり、さらに、上記第１インク供給量と第２インク供給量との差である余剰インク量のインクを貯留するための第３インク貯留部と、上記第２インク貯留部と第３インク貯留部との間には、余剰インク量のインクが第３インク貯留部へ移動する経路となる余剰インク経路が形成されていることものである。
【００２５】
それゆえ、第２インク貯留部内のインク量を一定に保つことができ、インク吐出部に供給されるインクの圧力を一定に保つことができる。したがって、インク小滴の形状を安定させることができる。さらに、第２インク貯留部内のインクは、余剰インク経路とインク吐出部の２方向に移動するためインクは攪拌される。したがって、インク成分の沈降を抑制することができ、沈殿し易いインク成分を含むインクを使用することができるという効果を奏する。
【発明を実施するための最良の形態】
【００２６】
本発明の一実施形態について図１ないし図８に基づいて説明すれば、以下の通りである。図１は、本実施の形態に係るインクジェット用インク供給装置を有するインクジェット装置３０の全体構成を示す断面図である。インクジェット装置３０は、インクジェット用インク供給装置とインクジェットヘッド４（インク吐出部）とを有している。
【００２７】
＜インクジェット用インク供給装置＞
本実施の形態に係るインクジェット装置３０は、インクジェット用インク供給装置を備えている。インクジェット用供給装置は、第１インク室１（第１インク貯留部）、第２インク室２（第２インク貯留部）を備えている。第２インク室２には、隔壁９を介して、第３インク室３が併設されている。さらに第２インク室２の下方にはインクジェットヘッド４（インク吐出部）が備えられており、このインクジェットヘッド４からインク吐出対象であるワーク２４に対し、インク小滴５が吐出される構成となっている。
【００２８】
第１インク室１にはインクが貯留されており、このインクは供給配管６を通じて、第２インク室２へ供給される。インクの供給は、供給配管６に備えられているポンプ７によって行われることができる。ポンプ７としては、特に限定されるものではないが、例えば、脈動タイプまたは間欠運動タイプなどの公知の送液用ポンプを用いることができる。また、ポンプ７には図示しないが、圧力計が備えられている。
【００２９】
また、第１インク室１には圧縮空気配管８が備えられている。この圧縮空気配管８に圧縮空気を流し、第１インク室１の内部圧力を高めることによって、インクの液面にかかる圧力が増すこととなる。これにより、第１インク室１のインクを第２インク室２へ送液することが可能である。このため、圧縮空気配管８とポンプ７とを併用する、または、一方を使用して、インクの送液を行うことができる。
【００３０】
第１インク室１には消費されるインクに比して大容量のインクが貯留されているが、第１インク室１のインクが枯渇した場合を考慮し、第１インク室１はカートリッジ方式または外部からインクが供給されるインク供給方式とすることができる。
【００３１】
第２インク室２には、第１インク室１からインクが供給されたインクが貯留される。第２インク室２と第３インク室３とは、隔壁９を介して併設されており、隔壁９の上端部は、余剰インク経路１０となっている。さらに、第２インク室２の上方には、液面板１１が設置されている。
【００３２】
第２インク室２および第３インク室３は、インクを貯留することができればよく、特に限定されるものではない。また、第２インク室２および第３インク室３の壁の高さは、隔壁９の高さよりも高く設定されている。
【００３３】
隔壁９は、第２インク室２および第３インク室３を隔てることができればよい。隔壁９の材料としては、インクによって腐食しにくい材料が用いられる。隔壁９の高さは、第２インク室２からインクジェットヘッド４へインクが供給される際における第２インク室２のインクの液面（以下、適宜「吐出時液面」と略す）高さに設定されている。
【００３４】
隔壁９の上端部は余剰インク経路１０となっている。余剰インク経路１０は、第２インク室２に貯留されたインクを第３インク室３へ移動させる経路となればよく、種々の形状とすることができる。図１においては、余剰インク経路１０は隔壁９の上端部に形成されており、第２インク室２における余剰のインクは、第３インク室３に溢れ出し、第２インク室２のインク貯留量を一定に保持することができる。すなわち、図１に示すインクジェット用インク供給装置では、オーバーフロー型の余剰インク経路が採用されている。
【００３５】
隔壁９の厚みが５ｍｍを超える様な場合、余剰インク経路１０にＶ溝やＵ溝が無いと、安定して液が導けない場合がある。その場合、表面張力で第２インク室２におけるインクの液面が高くなる。高くなった液面は、安定しているわけではなく、動作時の振動などで、高くなった液面が一気に、第３インク室３へ流れ落ちる場合がある。
【００３６】
そこで、隔壁９の上端部を加工することによって、余剰インク経路１０のうち第３インク室３側部分（インクが溢れる部分）の形状をＶ型またはＵ型の溝とすることができる。これにより、インクが第３インク室３へ流れる際における振動を抑制することができる。その結果、インクジェットヘッド４へ伝わる振動を抑制し、第２インク室２からインク吐出部に供給されるインクの圧力を一定に保つことができ、インク小滴の形状を安定させることができる。
【００３７】
余剰インク経路１０の形状は通過するインクの量によって適宜設定すればよいが、インクジェットヘッド４をワーク２４の平面に沿って移動させながら、インク小滴５を吐出する場合、余剰インク経路１０はより狭いほど、インクジェットヘッド４の動作による吐出時液面へ与える振動を抑えることができるので好ましい。
【００３８】
液面板１１は、第２インク室２における吐出時液面の振動を減少させるものである。そのため、液面板１１は、吐出時液面に一部接するよう設置されている。ポンプ７の動作タイミング、第２インク室２の形状およびインクジェット装置３０の動作の状況によっては、吐出時液面に振動が生じる場合がある。この振動は、インク小滴５の形状に悪影響を与える可能性があるが、液面板１１が設置されていることによって、吐出時液面に生じる振動を減少させることができる。これにより、吐出時液面に生じる振動が、インク小滴５の形状に与える悪影響を軽減することができる。
【００３９】
＜インクジェット装置＞
インクジェット装置３０は、上記インクジェット用インク供給装置と、インクジェットヘッド４とを有している。上記インクジェット用インク供給装置における第２インク室２の下方には、ヘッド送液用配管１２がインクジェットヘッド４と接続されるよう設置されている。ヘッド送液用配管１２の長さを変化させることによって、第２インク室２から供給されるインクの圧力を変化させることができる。また、インクジェットヘッド４の動作が断続的に繰り返される場合、ヘッド送液用配管１２が無く、第２インク室２と直結されている構成とすることもできる。この場合、ヘッド送液用配管１２の振動が生じないため、より安定したインク小滴５を形成することが可能である。
【００４０】
インクジェットヘッド４は、第２インク室２から供給されたインクを、インク小滴５として吐出対象であるワーク２４に吐出するものである。インクジェットヘッド４としては、インクを吐出することができればよく、公知のインクジェットヘッドを用いることができる。
【００４１】
インクジェットヘッド４は、第２インク室２の下方に設置されており、第２インク室２とインクジェットヘッド４との高低差によって生じる圧力によって、第２インク室２からインクジェットヘッド４へインクが供給される構成となっている。この高低差は、インクジェットヘッド４へ供給されるインクの所望の量によって、適宜変更すればよい。
【００４２】
ワーク２４は、インク小滴５が吐出される吐出対象となるものであり、インクジェット用の用紙またはシート状のフィルムであることが望ましい。
【００４３】
次に、インクジェットヘッド４からワーク２４へインク小滴が吐出される際の動作について説明する。
【００４４】
まず、第１インク室１に貯留されているインクが、ポンプ７によって押し出され、供給配管６を通り、第２インク室２に移動する。このようにして、吐出時液面に達する量のインクが移動される。その後、ヘッド送液用配管１２を通じて、第２インク室２のインクがインクジェットヘッド４に供給される。このインクジェットヘッド４に供給される時間当たりのインクの量を第２インク供給量とする。インクジェットヘッド４に供給されたインクは、インク小滴５として、ワーク２４に吐出される。
【００４５】
インク小滴５の形状は、インクの表面張力、粘度、温度および汚れ具合、インクジェットヘッド４の形状、移動方法、材質、表面の濡れ性および汚れ具合、周囲環境の振動、温度および風などに影響を受ける。特に、第２インク室２から供給されるインクの圧力が重要である。この圧力に変動が生じると、インク小滴５の形状、飛行方向、吐出量（大きさ）が安定しない。その結果、ワーク２４に吐出される印刷結果に悪影響が及ぼされることとなる。
【００４６】
第２インク室２からインクジェットヘッドへインクが供給される間、第１インク室１から第２インク室２へはインクがさらに供給される。この供給される単位時間当たりのインクの量を第１インク供給量とする。
【００４７】
具体的には、ポンプ７に備えられている圧力計によってインクの圧力が測定された圧力値に基づき、ポンプ７が作動することによって、第１インク供給量のインクが供給されることとなる。この第１インク供給量は、第２インク供給量よりも多量に設定される。
【００４８】
このように、第１インク供給量が第２インク供給量よりも多量に設定されているため、第１インク室１におけるインクが枯渇しない限り、第２インク室２におけるインクが枯渇することがない。
【００４９】
ここで、第１インク供給量と第２インク供給量との差を余剰インク量とする。すなわち、第２インク貯留部からインクジェットヘッド４へインクが供給される間、第２インク室２には、単位時間当たり余剰インク量のインクが供給されることとなる。
【００５０】
上記のように、第２インク室２には、余剰インク量のインクが過剰に供給されることとなるが、インクジェット装置３０は、隔壁９の上端部に余剰インク経路１０が備えられているため、余剰インク量のインクは余剰インク経路１０から溢れ出し、第３インク室３に移動することとなる。
【００５１】
これによって、第２インク室２のインク量を一定に保つことができる。すなわち、吐出時液面の高さを一定に保つことができるので、第２インク室２から供給されるインクの圧力を一定に保つことができる。このため、インクジェット装置３０によれば、インク小滴５の形状、飛行方向、吐出量を安定させることができる。
【００５２】
さらに、第１インク室１内のインクは、供給配管６を介して第２インク室２に供給され、供給されたインクは、第３インク室３またはインクジェットヘッド４へ移動される。つまり、第２インク室２に貯留されたインクは、絶えず攪拌されることとなる。これにより、沈殿し易いインク成分を含むインクであっても、その成分が絶えず攪拌され、インク成分の沈降を抑制することができる。インクジェット装置３０によれば、沈殿し易いインク成分を含むインクをも用いることができる。なお、このような構成であれば、インクを攪拌するための攪拌用羽などを第２インク室２内に供える必要がなくインクジェット装置３０が小型であっても、容易に上記構成を適用することができる。
【００５３】
また、インクの劣化が激しい場合には、第２インク室２に収容されるインクの量を減少させることによって、インクを第１インク室１からインクジェットヘッド４に速やかに移動させることができ、インクジェットヘッド４に供給されるインクが劣化する程度を軽減させることが可能である。この場合、隔壁９はより低く設けられることとなる。
【００５４】
インクジェット装置３０では、余剰インク経路１０は隔壁９の上端部に形成されている。このような構成であれば、余剰インク経路１０の形状は非常に単純な形状を有しており、容易に形成されることでき、インクジェット用インク供給装置のメンテナンスなども容易である。なお、余剰インク経路１０としては、上記のようなオーバーフロー形式に限定されるものではなく、例えば、隔壁９の高さが吐出時液面よりも高く、吐出時液面の高さに該当する隔壁９の部分に、余剰インク経路１０として開口部が形成されていてもよい。
【００５５】
図２に余剰インク経路１０の一例を示す。同図は、本実施の形態に係るインクジェット装置３１を示す断面図である。説明の便宜上、図１に示した部材と同一の機能を有する部材については、同一の符号を付し、その説明を省略する。
【００５６】
インクジェット装置３１は、第２インク室２と第３インク室３とが併設されておらず、近接する構成となっている。余剰インク経路１０は、第２インク室２と第３インク室３との間において、吐出時液面に配管として形成されている。このような構成であれば、第２インク室２と、第３インク室３との配置をより自由に設定できる。
【００５７】
さらに、図３に余剰インク経路１０の一例を示す。同図は、本実施の形態に係るインクジェット装置３２を示す断面図である。説明の便宜上、図１に示した部材と同一の機能を有する部材については、同一の符号を付し、その説明を省略する。
【００５８】
同図においては、第３インク室３およびインクジェットヘッド４の両方が、第２インク室２の下方に近接して設置されている。また、第２インク室２の中央部に、隔壁９が２箇所近接して設置されている。さらに、インクジェット装置３２において、余剰インク経路１０は隔壁９同士の間に形成されている。第２インク室２の底部には開口部が形成されており、第３インク室３と通じる構造となっている。このような、余剰インク経路１０の形状であっても、図１に示すインクジェット装置３０における余剰インク経路１０と同様の効果を備えることができる。
【００５９】
インクジェット装置３２は、上記の構成を有しており、インクジェットヘッド４と第３インク室３とが近接した位置に配置することができる。このような配置であれば、後述するインクジェットヘッド４から第３インク室３へインクを排出するインク排出配管を設置する場合、その設置距離を短縮することができるため好ましい。
【００６０】
インクジェット装置を構成する上で、インクジェットヘッド４の位置を、吐出時液面よりも高く設置しなければならない場合、または、第２インク室２がインクジェットヘッド４よりも非常に高い位置に設置する必要がある場合など第２インク室２から供給されるインクの圧力を所望の値に設定できない場合には、インクジェット装置を第２インク室２と第３インク室３とを密閉するための密閉蓋１３を備える構成とすることもできる。
【００６１】
図４は、同図は、本実施の形態に係るインクジェット装置３３を示す断面図である。説明の便宜上、図１に示した部材と同一の機能を有する部材については、同一の符号を付し、その説明を省略する。
【００６２】
同図に示すインクジェット装置３３では、第２インク室２はインクジェットヘッド４よりも低い位置に設置されている。また、第２インク室２とインクジェットヘッド４との間に設置されているヘッド送液用配管１２にはポンプが設置されていない構成である。第２インク室２および第３インク室３の上方を覆うように密閉蓋１３が設置されており、第２インク室２および第３インク室３は密閉された状態となっている。
【００６３】
また、密閉蓋１３には、第２インク室２および第３インク室３の内部圧力を調整するエアポンプ１４（圧力調整機構）、上記内部圧力を減圧するための大気開放弁１５（圧力調整機構）および上記圧力を計測するための圧力計１６が設けられている。なお、圧力計１６は、測定された圧力値に基づきエアポンプ１４および大気開放弁１５に信号を出力する。一方、信号を受信したエアポンプ１４および大気開放弁１５は、第２インク室２内の圧力が、一定の圧力となるよう操作される構成となっている。
【００６４】
上記の構成によれば、エアポンプ１４によって、吐出時液面に圧力が加えられるため、第２インク室２がインクジェットヘッド４より下方に位置する構成であっても、インクジェットヘッド４からインク小滴５を吐出させることができる。また、密閉蓋１３によって、外気を遮蔽されることができるため、第２インク室２に貯留されたインクが、外気に暴露されにくく、インクジェットヘッド４へより清浄なインクを供給することができる。このため、インク小滴５の形状をさらに安定化させることができる。
【００６５】
また、インクジェットヘッド４の位置は、吐出時液面よりも高い位置に設置されているので、エアポンプ１４のエア流入方向を第２インク室２の外側方向とする、または、大気開放弁１５が開放されることによって、インクジェットヘッド４から第２インク室２へインクを移動させることができる。このように、インクジェット装置３３はインクの移動方向を変更ことができる構成となっているため、インクジェット装置３３の清掃方法を多様化させることができ、より装置内部を清浄な環境とすることができる。このため、インクに塵などが混入しにくくなり、インク小滴５の形状を安定化させることができる。
【００６６】
インクの種類、インクジェット装置の構成によっては、インクジェットヘッド４に供給されるインクに劣化が生じ易い場合がある。このような場合には、吐出されずに、インクジェットヘッド４の内部にインクが残存することによって、インクジェットヘッド４内のインクの状態は常に劣化した状況となってしまう。
【００６７】
そこで、インクジェットヘッド４から第３インク室３へインク排出配管（排出経路）が設けられ、インクジェットヘッド４の内部に残存したインクが排出されることが好ましい。図５は、インク排出配管が設けられたインクジェット用インク供給装置を有するインクジェット装置３４の断面図を示している。説明の便宜上、図１に示した部材と同一の機能を有する部材については、同一の符号を付し、その説明を省略する。
【００６８】
インクジェット装置３４は、インクジェットヘッド４と第３インク室３とがインク排出配管１７によって連結されており、インク排出配管１７にはポンプ１８が設置されている。さらに、ポンプ１８には、インクの圧力を調整する脈動抑制装置（脈動抑制機構）１９がさらに連結されている。
【００６９】
インクジェット装置３４は、インクジェットヘッド４の内部に、吐出されずに残存しているインクは、ポンプ１８によってインク排出配管１７へ送液される構成となっている。このインクは第３インク室３に移動される。これにより、インクジェットヘッド４には、吐出されなかったインクが残存し難くなるため、インクジェットヘッド４の内部の環境を清浄な状態にすることができる。その結果、インク小滴５の形状を安定化させることができる。
【００７０】
インクジェット装置３４においては、インクジェットヘッド４と第３インク室３とがインク排出配管１７によって連結されている構成となっているが、インクが劣化する程度が小さい場合、インクジェットヘッド４と第２インク室２とが、インク排出配管１７によって連結されていてもよい。このような構成によれば、インクが再度、第２インク室２に移動するため、インクの使用量を削減することができる。
【００７１】
なお、排出されるインクは劣化しているので、粘度などの物性が変化している。したがって、第２インク室２に連結されるインク排出配管１７の位置は、ヘッド送液用配管１２から離れた位置とすることにより、劣化したインクの濃度が高いインクが、インクジェットヘッド４へ供給されることを防止できる。これにより、インクジェット装置３４を安定して動作させることができる。
【００７２】
脈動抑制装置１９は、ポンプ１８の脈動を抑制するための装置である。ポンプ１８の脈動によって、インク排出配管１７からインクジェットヘッド４へ振動が伝わり、その振動によって、インク小滴５の形状が乱れる場合がある。
【００７３】
上記のような振動が生じる場合、脈動抑制装置１９を動作させることよって、ポンプ１８の脈動を抑制し、上記振動を抑制できる。このため、インク小滴５の形状を安定化させることができる。
【００７４】
インク排出配管１７に振動を与えないよう、ポンプ１８および脈動抑制装置１９には脈動が生じがたいことが好ましい。脈動抑制装置１９の具体例としては、複数のシリンダーを備え、複数のポンプの位相を逆位相にするダブルプランジャーポンプを用いることができる。上記ダブルプランジャーポンプは、高速液体クロマトグラフフィー装置などで実用化されている。また、連続的に回転するプロペラによって、インクを送り出すマグネットポンプを用いてもよい。上記マグネットポンプは、洗浄装置などで実用化されている。さらに、アキュムレーター等を用いてもよい。
【００７５】
第２インク室２から余剰インク経路１０を経由してインクは、第３インク室３に溜まっていくが、特にインクの価格が高価である場合には、第３インク室３に循環配管（循環経路）２０が備えられていることが好ましい。
【００７６】
図６は、第３インク室３に循環配管２０が備えられているインクジェット用インク供給装置を有するインクジェット装置３５の断面図を示す。説明の便宜上、図１および図５に示した部材と同一の機能を有する部材については、同一の符号を付し、その説明を省略する。
【００７７】
インクジェット装置３５において、第３インク室３と第１インク室１とが循環配管２０によって連結されている。また、循環配管２０には送液用のポンプ２１（循環機構）が備えられている。さらに、インクジェット装置３５においては、インクの溶存気体を除去する真空膜脱気モジュール（脱気機構）２２が備えられている。真空膜脱気モジュール２２は真空ポンプ２３と連結されている。なお、インクジェット装置３５においては、供給配管６およびポンプ７は、それぞれ循環経路および循環機構としての役割をも果たしている。
【００７８】
インクジェット装置３５においては、循環配管２０および送液用のポンプ２１が備えられているので、第１インク室１から、第２インク室、インクジェットヘッド４、第３インク室３（第１インク室１から、第３インク室）、第１インク室１へとインクが循環することとなる。このため、無駄なインクの消費量を減少させることができる。
【００７９】
また、第１インク室１には、第３インク室３から送液される量に比較し、大容量のインクが貯留されているので、劣化したインクが循環されたとしても、その濃度を薄めることができ、インクの質に及ぼす影響を低く抑えることができる。インクジェット装置３５は、余剰インク経路１０を備えているので、沈降し易い成分を含むインクを用いる場合であっても、インクを循環させることが可能である。
【００８０】
なお、劣化し難いインクが用いられている場合には、第３インク室３と第２インク室２とが循環配管２０によって連結されている構成とすることもできる。
【００８１】
真空膜脱気モジュール２２は、インクに含まれる気泡、インクに溶解された気体を脱気する（除去する）装置である。脱気されたインクを脱気インクとする。脱気インクは、気泡などをほとんど含まないため、脱気インクを用いた場合、インク小滴５の形状が安定する。このため、インクジェット装置３５が備えるインクジェット用インク供給装置が、真空膜脱気モジュール２２を備えることは非常に有用である。
【００８２】
真空膜脱気モジュール２２は、ガス成分だけが通過できる穴を設けたテフロン（登録商標）などの機能膜を利用するものである。この真空膜を用いた真空膜脱気モジュールは簡便に用いることができるため優れている。真空膜脱気モジュール２２に真空ポンプ２３を作動させ、機能膜によってインク中のガス成分を除去すると、脱気インクを得ることができる。脱気インクは空気に触れると空気を溶解するが、第２インク室２の下方にインクジェットヘッド４が設置されているため、インクジェットヘッド４に供給されるインクは、脱気状態を保つことができる。
【００８３】
脱気インクの脱気状態をより高い状態に保つためには、第２インク室２に供給された脱気インクの余剰インク経路１０への流れが、より上向き方向となるよう、第２インク室２を細長く形成することが好ましい。第２インク室２の脱気インクの流れを上向きに揃えることで、第２インク室２へ空気が混入し難くなるので、インクジェットヘッド４へ移動する脱気インクの脱気状態を保つことができる。
【００８４】
図１〜６において、第１インク室１、第２インク室２、第３インク室３およびインクジェットヘッド４の設置数が１箇所である場合のインクジェット装置について説明したが、設置数は特に限定されるものではなく、適宜変更することができることはもちろんである。
【００８５】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８６】
本発明に係るインクジェット用インク供給装置によれば、インクジェットヘッドに圧力が安定したインクを送液することができる。また、本発明に係るインクジェット装置によれば、形状が安定したインク小滴を吐出することができ、ワークの印字仕上がりを高めることができる。そのため、本発明は、インクジェットの分野、さらには、印刷を必要とする分野において利用されることができる。
【図面の簡単な説明】
【００８７】
【図１】本実施におけるインクジェット装置の一形態を示す断面図である。
【図２】本実施におけるインクジェット装置の一形態を示す断面図である。
【図３】本実施におけるインクジェット装置の一形態を示す断面図である。
【図４】本実施におけるインクジェット装置の一形態を示す断面図である。
【図５】本実施におけるインクジェット装置の一形態を示す断面図である。
【図６】本実施におけるインクジェット装置の一形態を示す断面図である。
【符号の説明】
【００８８】
１    第１インク室（第１インク貯留部）
２    第２インク室（第２インク貯留部）
３    第３インク室（第３インク貯留部）
４    インクジェットヘッド（インク吐出部）
８    圧縮空気配管
９    隔壁
１０  余剰インク経路
１３  密閉蓋
１４  エアポンプ（圧力調整機構）
１５  大気解放弁（圧力調整機構）
１７  インク排出配管（排出経路）
１８  ポンプ（送液機構）
１９  脈動抑制装置（脈動抑制機構）
２０  循環配管（循環経路）
２１  ポンプ（循環機構）
２２  真空膜脱気モジュール（脱気機構）
３０・３１・３２・３３・３４・３５  インクジェット装置
【図１】
2008207390.tif 000003
【図２】
2008207390.tif 000004
【図３】
2008207390.tif 000005
【図４】
2008207390.tif 000006
【図５】
2008207390.tif 000007
【図６】
2008207390.tif 000008